(57)【要約】本発明は、機器のユーザ個人設定を必要とせずに、電子メール利用可能機器の通信事業者サービス・ネットワークへの統合を可能とする方法及びシステムである。端末からの電子メール要求を処理するために、電子メール・プロキシ及びデータベースを備えるシステムが提供される。端末のネットワークアドレスは、データベースから電子メール設定を読み出すために利用され、電子メール・プロキシは、読み出された電子メール設定を用いて電子メールサーバと通信することが可能である。
2007500958.tif 000002
【特許請求の範囲】
【請求項１】
端末（１）からの電子メール要求を処理するシステムであって、電子メール・プロキシ（５、６）とデータベース（９、１０）とを備え、該電子メール・プロキシ（５、６）が前記データベース（９、１０）と通信するよう構成され、前記電子メール・プロキシ（５、６）が前記端末（１）のネットワークアドレスを検出し、前記端末（１）のネットワークアドレスを利用して前記データベース（９、１０）から電子メール設定を読み出すよう構成され、前記電子メール・プロキシ（５、６）が、更に、前記電子メール設定を用いて電子メールサーバ（７）と通信するよう構成されるシステム。
【請求項２】
請求項１記載のシステムであって、前記電子メール設定が、
前記電子メールサーバ（７）の名前と、
前記電子メールサーバ（７）にアクセスするためのユーザ名及びパスワードと、
を含むシステム。
【請求項３】
請求項２記載のシステムであって、前記電子メール設定が、更に、
ユーザの氏名と、
前記ユーザの電子メールアドレスと、
を含むシステム。
【請求項４】
請求項１〜３のいずれか１つに記載のシステムであって、前記データベース（９、１０）が、前記端末（１）の前記ネットワークアドレスのユーザの識別情報へのマッピングを含むシステム。
【請求項５】
請求項４記載の方法であって、
前記端末（１）の前記ネットワークアドレスの前記ユーザの前記識別情報に対する前記マッピングを含む第１のデータベース（９）と、
前記電子メール設定を含む第２のデータベース（１０）と、
を備えるシステム。
【請求項６】
請求項１〜５のうちのいずれか１つに記載のシステムであって、
第１の電子メール・プロキシ（５）が、電子メール・メッセージを読み取るための電子メール要求を処理するために利用され、
第２の電子メール・プロキシ（６）が、電子メールを送信するための電子メール要求を処理するために利用されるシステム。
【請求項７】
端末（１）からの電子メール読み取り要求を処理する電子メール読み取りプロキシ（５）であって、前記端末（１）のネットワークアドレスを検知し、前記端末（１）の前記ネットワークアドレスを利用してデータベース（９、１０）から電子メール設定を読み出し、更に、前記電子メール設定を利用して前記電子メール読み出し要求を電子メールサーバ（７）に転送し、前記電子メールサーバ（７）から要求された電子メール・メッセージを読み出して、前記要求された電子メール・メッセージを前記端末（１）に転送するよう構成された電子メール読み出しプロキシ（５）。
【請求項８】
端末（１）からの電子メール送信要求を処理する電子メール送信プロキシ（６）であって、前記端末（１）のネットワークアドレスを検知し、前記端末（１）の前記ネットワークアドレスを利用してデータベース（９、１０）から電子メール設定を読み出し、更に、前記電子メール設定を利用して前記電子メール送信要求を修正し、該修正された電子メール送信要求を、前記電子メール設定を用いて電子メールサーバ（７）に転送するよう構成された電子メール送信プロキシ（６）。
【請求項９】
請求項１〜６のいずれか１つに記載のシステムで利用される端末（１）であって、電子メールを送信し読み出すためのデフォルト設定を備え、該デフォルト設定が、ネットワーク内の移動端末に対して同一であって、該移動端末が、前記デフォルト設定を用いて電子メール・メッセージを送信又は読み出しするよう構成される端末（１）。
【請求項１０】
電子メール・プロキシ（５、６）において、端末（１）からの電子メール要求を処理する方法であって、
前記端末（１）のネットワークアドレスを検出するステップと、
前記端末（１）の前記ネットワークアドレスを用いて、データベース（９、１０）から電子メール設定を取り出すステップと、
前記電子メール設定を用いて、電子メールサーバ（７）と通信するステップと、
を備える方法。
【請求項１１】
請求項１０記載の方法であって、前記電子メール設定が、
前記電子メールサーバ（７）の名前と、
前記電子メールサーバ（７）にアクセスするためのユーザ名及びパスワードと、
を含む方法。
【請求項１２】
請求項１１記載の方法であって、前記電子メール設定が、更に、
ユーザの氏名と、
前記ユーザの電子メールアドレスと、
を含む方法。
【請求項１３】
請求項１０〜１２のいずれか１つに記載の方法であって、前記データベース（９、１０）が、前記端末（１）の前記ネットワークアドレスの、ユーザの識別情報に対するマッピングを含む方法。
【請求項１４】
請求項１３記載の方法であって、
前記端末（１）の前記ネットワークアドレスの、前記ユーザの前記識別情報に対する前記マッピングに関する情報を、第１のデータベース（９）から読み出すステップと、
前記電子メール設定を第２のデータベース（１０）から読み出すステップと、
を備える方法。
【請求項１５】
請求項１０〜１４のうちのいずれか１つに記載の方法であって、
第１の電子メール・プロキシ（５）が、電子メール・メッセージを読み出すための電子メール要求を処理するために利用され、
第２の電子メール・プロキシ（６）が、電子メール・メッセージを送信するための電子メール要求を処理するために利用される方法。
【発明の詳細な説明】
【技術分野】
【０００１】
発明の分野
本発明は、機器への電子メールサービスに関する。より詳細には、本発明は、電子メール利用可能機器の通信事業者サービス・ネットワークへの統合に関する。
【０００２】
発明の背景
現在、ＧＳＭベースのセルラー・ネットワークでの利用のために提供されている多数の移動端末は、よく定義され確立されたインターネット・プロトコルであるＳＭＴＰ及びＰＯＰ３を用いてＣＳＤ、ＨＳＣＳＤ、ＧＰＲＳ及びＵＴＭＳ上で電子メールを送信及び読み出しする機能を有する。
【０００３】
幾つかの通信事業者は、今日、彼らの顧客ベースに電子メールサービスを提供し、該サービスは、移動端末で電子メールを送受信するためにも利用可能である。しかし、このサービス提供を利用している顧客は少数に過ぎない。
【０００４】
市場の受容が限定的である１つの重要な理由は、移動端末のユーザ個人設置である。この非常に専門的でエラーの起こりやすい設置なしには、移動端末で電子メールを送受信することができない。
【０００５】
ＰＯＰ３／ＳＭＴＰ利用可能な移動端末において、携帯電話会社の電子メールサービスを利用できるようにするために、既存の方法では、移動端末で多数のパラメータを設定する必要がある。これらのパラメータは、電子メール受信のための、
・電子メール受信のための電子メールサーバ名、
・電子メール読み出しのためのユーザ名、及び
・電子メール読み出しのためのパスワード
と、電子メール送信のための、
・送信者の電子メールアドレス、
・電子メール送信に利用される電子メールサーバ名、
・電子メール送信のためのユーザ名（必要な場合）、及び
・電子メール送信のためのパスワード（必要な場合）
を含む。ただし、幾つかのパラメータは、携帯電話会社の電子メールサービスのみに対する個人設定であり、その他のパラメータは、個々のユーザ特有のものである。これは、
・電子メール読み出しのためのユーザ名
・電子メール読み出しのためのパスワード
・送信者の電子メールアドレス
・電子メール送信のためのユーザ名（必要な場合）
・電子メール送信のためのパスワード（必要な場合）
に適用される。
【０００６】
かなりの数のパラメータが、ユーザによって個別に設定される必要がある。
移動端末を特定のサービスについて設定するために携帯電話会社環境において提供される通常の解決方法は、「無線設定」（ＯＡＴ）と名づけられる。これは、端末に個人設定パラメータを含むショートメッセージを送信することによって端末を設定することを意味する。このメッセージは特別な方法でフォーマットされるため、受信端末はメッセージを設定コマンドとして解釈する。
【０００７】
しかし、今日の端末は、通常、無線による電子メールパラメータ設定能力を提供しない。ユーザは、一人で必要な端末設定をしなければならない。更に、携帯電話会社のサービス準備処理は、通常、自動的にはこの設置を含まない。従って、電話が無線で設定可能であるとしても、顧客は、このことを承知して、設定を取得しなければならないが、たいていの場合、そのようにはならない。
【０００８】
国際特許出願第ＷＯ０２／４９３７３Ａ２号は、携帯電話機を設定する方法及び装置を開示する。他の先行技術と同様に、該方法及び装置は、顧客が携帯電話会社のメールサービスにアクセスするために利用可能となる前に、（手動又は自動で）電話を設定する必要があるという欠点を有する。特に、ユーザ名、パスワード又は個人名等の顧客特有のデータを提供する必要がある。他の欠点は、顧客が自身に関連する設定及び個人データ（例えば、メールアドレス、ユーザ名、パスワード、メールサーバ名）の一部を変更する場合、又は変更を強いられる場合に、携帯電話機の設定を変更又は更新する必要がある。更に他の欠点は、サービスの携帯電話機固有の適応が必要なことである。
【０００９】
課題の定義
電子メール利用可能機器の通信事業者サービス・ネットワークへの統合には、個々の機器のユーザ個人設定が必要である点が不便である。
【００１０】
本発明の目的
本発明の目的は、機器におけるユーザ個人設定を必要とせずに、電子メール利用可能機器の通信事業者サービス・ネットワークへの統合を可能とすることである。
【００１１】
発明の概要
本発明は、ユーザ個人設定を必要とせずに、電子メール利用可能機器の通信事業者サービス・ネットワークへの統合を可能とする方法及びシステムである。
【００１２】
本発明の第１の態様によれば、端末からの電子メール要求を処理するためのシステムが提供される。システムは、電子メール・プロキシ及びデータベースを備える。電子メール・プロキシは、データベースと通信するよう構成され得る。電子メール・プロキシは、端末のネットワークアドレスを検出し、端末のネットワークアドレスを利用してデータベースから電子メール設定を読み出すよう構成される。電子メール・プロキシは、端末が電子メールサービスのために設定されることなしに端末が電子メールサービスにアクセスできるようにするため、有利である。電子メール設定は、電子メールサーバ名、及び／又は、電子メールサーバにアクセスするためのユーザ名並びにパスワードを含み得る。これは、有利なことに、端末が、電子メールサーバ名と、電子メールサーバにアクセスするためのユーザ名及び／又はパスワードを事前設定されることなしに、電子メールサーバにアクセスすることを可能とする。電子メール設定は、更に、ユーザの氏名、及び／又はユーザの電子メールアドレスを含むことが可能である。これは、端末が、ユーザの氏名及びユーザの電子メールアドレスを事前設定されることなく電子メールサービスにアクセスすることさえ可能とする。電子メール・プロキシは、電子メール設定を用いて電子メールサーバと通信するよう構成され得る。
【００１３】
データベースは、端末のネットワークアドレスの、ユーザの識別情報へのマッピングを含み得る。これは、有利なことに、電子メール設定が、端末のネットワークアドレスの代わりにユーザの識別情報と関連付けられることを可能とする。第１のデータベースは、端末のネットワークアドレスのユーザの識別情報に対するマッピングを含み得る。第２のデータベースは、電子メール設定を含み得る。２つのデータベースの利用は、異なる関係者がマッピング情報及び電子メール設定を管理する場合に有利であり得る。
【００１４】
第１の電子メール・プロキシは、電子メール・メッセージを読み取るための電子メール要求を処理するために利用され得る。第２の電子メール・プロキシは、電子メールを送信するための電子メール要求を処理するために利用され得る。
【００１５】
本発明の第２の態様において、端末からの電子メール読み取り要求を処理する電子メール読み取りプロキシが提供される。電子メール読み取りプロキシは、端末のネットワークアドレスを検知し、端末のネットワークアドレスを利用してデータベースから電子メール設定を読み出すよう構成され得る。電子メール読み取りプロキシは、更に、電子メール設定を利用して電子メール読み出し要求を電子メールサーバに転送し、要求された電子メール・メッセージを電子メールサーバから読み出し、該要求された電子メール・メッセージを端末に転送するよう構成され得る。
【００１６】
本発明の第３の態様において、端末からの電子メール送信要求を処理する電子メール送信プロキシが提供される。電子メール送信プロキシは、端末のネットワークアドレスを検知し、端末のネットワークアドレスを利用してデータベースから電子メール設定を読み出すよう構成され得る。電子メール送信プロキシは、更に、電子メール設定を利用して電子メール送信要求を修正し、該修正された電子メール送信要求を、電子メール設定を用いて電子メールサーバに転送するよう構成され得る。
【００１７】
本発明の第４の態様において、上記のシステムで利用される端末が提供される。端末は、電子メールを送信し読み出すためのデフォルト設定を備え、該デフォルト設定は、ネットワーク内の移動端末に対して同一である。これは、端末製造者が端末にデフォルト値を装備することを可能とするため、有利である。移動端末は、デフォルト設定を用いて電子メール・メッセージを送信又は読み出しするよう構成され得る。これは、端末のユーザが端末を設定しなくてもよいため、有利である。
【００１８】
本発明の第５の態様において、電子メール・プロキシにおいて、端末からの電子メール要求を処理する方法が提供される。該方法は、端末のネットワークアドレスを検出するステップ、端末のネットワークアドレスを用いてデータベースから電子メール設定を取り出すステップ、及び／又は、電子メール設定を用いて電子メールサーバと通信するステップを備える。電子メール設定は、電子メールサーバ名、及び／又は、電子メールサーバにアクセスするためのユーザ名並びにパスワードを含み得る。電子メール設定は、更に、ユーザの氏名、及び／又はユーザの電子メールアドレスを含み得る。データベースは、端末のネットワークアドレスの、ユーザの識別情報に対するマッピングを含み得る。
【００１９】
該方法は、端末のネットワークアドレスの、ユーザの識別情報に対するマッピングに関する情報を第１のデータベースから読み出すステップ、及び／又は、電子メール設定を第２のデータベースから読み出すステップを備え得る。
【００２０】
第１の電子メール・プロキシは、電子メール・メッセージを読み出すための電子メール要求を処理するために利用され得る。第２の電子メール・プロキシは、電子メール・メッセージを送信するための電子メール要求を処理するために利用され得る。
【００２１】
発明の詳細な説明
本発明の教示のために、本発明に係る方法及びシステムの好ましい実施の形態を以下に示す。本発明の真の趣旨を逸脱することなく、最終的に特許される添付の特許請求の範囲によってのみ限定される本発明の範囲を実施するために、本発明の他の代替及び均等な実施の形態が考えられ、低減され得ることが、当業者にとって明らかである。
【００２２】
本発明は、ユーザ個人設定を必要とせずに、電子メール利用可能機器を通信事業者のサービス・ネットワークに統合するための方法及びシステムである。
本発明は、魅力的且つ比較的簡易なメールサーバを顧客に提供する、たいていの携帯電話会社に適用可能である。本システムにより、携帯電話会社のメールサービスが利用可能であるだけではなく、ユーザが要求されたデータ及び信用証明物を携帯電話会社に提供する意思がある場合、他のメールサービス提供者も利用可能である。
【００２３】
基本的に、本発明は、ＤＳＬサービス事業者及び固定網のＩＳＰにも適用可能である。
本発明は、顧客に対する利用性及び利便性を高めるという利点を有する。更に、本発明は携帯電話会社にとっても有利である。なぜなら、パスワード変更は、通常、設定ＳＭＳ又はＯＡＴメッセージをユーザの携帯電話機に自動送信するレベルでは、携帯電話会社のビジネス手順に組み込まれていないからである。今日市販されている携帯電話機の一部のみが、電子メールサービスのＯＡＴ設定又はＳＭＳ設定をサポートしているが、このことは既存の解決方法の欠点である。
【００２４】
以下、本発明を説明する。
移動端末
移動端末は、移動端末製造者により、個々の携帯電話会社に対するデフォルト値を備えられる。これは、移動通信業界において一般的に行われることである。製造者は、移動端末に、個々の携帯電話会社に対するデフォルトの電子メールパラメータを設定する。このパラメータのセットは、以下の項目のうちの１つ又はそれ以上を含む。
・各携帯電話会社が電子メールの送信及び読み出しに利用するＧＰＲＳ  ＡＰＮ
・電子メール受信のための携帯電話会社それぞれの電子メールサーバ名
・電子メール読み出しのための携帯電話会社それぞれのデフォルトのユーザ名
・電子メール読み出しのための携帯電話会社それぞれのデフォルトのパスワード
・携帯電話会社それぞれの送信者の電子メールアドレス
・各携帯電話会社が電子メール送信に利用するメールサーバ名
・電子メール送信のために、端末は追加認証なしの標準ＳＭＴＰを利用するよう設定される（ＳＭＴＰ  Ａｕｔｈなし）
・電子メール送信のためのユーザ名及びパスワードは未設定のままにされる
ネットワーク及びサービス配信プラットフォーム
ネットワーク事業者は、個々のサービスプラットフォームの構成要素が、電子メール送信（ＳＭＴＰサーバ）及びメール読み出し（ＰＯＰ３サーバ）のために、携帯電話機に事前設定されたＩＰアドレスにおいて利用可能であることを保証する。
【００２５】
更に、携帯電話会社は、携帯電話機による通信リンクの確立中に、個々のＭＳＩＳＤＮ（又は他のユーザＩＤ）と、該携帯電話機にリースされた関連するＴＣＰ／ＩＰアドレスとが（通常、ＲＡＤＩＵＳプロトコル要求に基づいて）記録されるよう取り計らう。従って、携帯電話会社は、指名されたＡＰＮにおける任意のアクティブなＩＰアドレスをＭＳＩＳＤＮにマッピングすることが可能であり、またその逆も可能である。
【００２６】
配信プラットフォームの例を図１に示す。この図には、以下の構成要素が示される。即ち、携帯電話機（１）、セルラーＧＰＲＳネットワーク（２）、ＧＧＳＮ（３）、ＷＡＰゲートウェイ（４）、メール読み出しのためのＰＯＰ３プロキシ（５）、メール送信のためのＳＭＴＰプロキシ（６）、メールサーバ（７）、インターネット（８）、ＭＳＩＳＤＮ／ＩＰアドレス変換データベース（９）、及び携帯電話会社ＬＤＡＰ（１０）である。
【００２７】
図１において、ＰＯＰ３／ＳＭＴＰ利用可能携帯電話機を有するユーザは、ＧＳＭ／ＧＰＲＳセルラー・ネットワークを介してＧＧＳＮに接続される。図の右側に設置されたメールサーバからのメール読み出しのために携帯電話機のメール・ユーザ・エージェントによって初期化されたＴＣＰ接続は、ＧＧＳＮ及びＷＡＰゲートウェイを超えて進む。該接続は、ＰＯＰ３プロキシで終了する。ＳＭＴＰを用いたメール送信のために携帯電話機のメール・ユーザ・エージェントによって初期化されたＴＣＰ接続もまた、ＧＧＳＮ及びＷＡＰゲートウェイを超えて進む。該接続は、ＳＭＴＰプロキシで終了する。
【００２８】
ＭＳＩＳＤＮ／ＩＰアドレス変換データベースは、ＧＰＲＳネットワークに取り付けられた全ての携帯電話機に対するマッピング情報を含み、携帯電話機のＩＰアドレスを該携帯電話機のＳＤＩＳＤＮにマッピングすること、及びその逆を可能とする。
【００２９】
携帯電話会社ＬＤＡＰは、例えばＭＳＩＳＤＮ、電子メール受信のための電子メールサーバ名、電子メール読み出しのためのユーザ名、電子メール読み出しのためのパスワード、メール送信のためのユーザの電子メールアドレス、メール送信に利用される電子メールサーバ名、電子メール送信のためのユーザ名（必要な場合）、電子メール送信のためのパスワード（必要な場合）などの顧客に関する特定の情報を含む。この情報は、顧客のＭＳＩＳＤＮを提供することによってアクセス可能である。
【００３０】
メール読み出し
移動端末ユーザが新しい電子メールを確認するとき、移動端末は、携帯電話会社のＰＯＰ３サーバに問い合わせる。ＰＯＰ３サーバは、標準的なサーバではない。サーバは、要求しているＩＰアドレスを取得し、関連付けられたＭＳＩＳＤＮを調べて、本来のユーザのユーザ名及びパスワードをデータベース又はＬＤＡＰディレクトリから受信する。この情報に基づいて、ＰＯＰ３プロキシ・サーバは、対応するバックエンド・サーバに対してユーザを認証し、本来のサーバから当該顧客に対するメールを読み出す。本来のユーザのメールサーバから受信されたデータストリームは、変更なしに携帯電話機に転送される。
【００３１】
電子メールを読み出すステップの進行の例を、図２に示す。この図には、以下の構成要素が示される。即ち、携帯電話機（１）、セルラーＧＰＲＳネットワーク（２）、ＧＧＳＮ（３）、ＷＡＰゲートウェイ（４）、メール読み出しのためのＰＯＰ３プロキシ（５）、メール送信のためのＳＭＴＰプロキシ（６）、メールサーバ（７）、インターネット（８）、ＭＳＩＳＤＮ／ＩＰアドレス変換データベース（９）、及び携帯電話会社ＬＤＡＰ（１０）である。
【００３２】
電子メールを読み出すために、以下のステップがとられる。
１０１：携帯電話機に置かれたメール・ユーザ・エージェントは、ＰＯＰ３プロキシに接続し、所定のユーザ名及びパスワードで認証を受け、最終的に、新しいメールの配信を要求する。所定のユーザ名及びパスワードによる認証は、一切のセキュリティを提供しない。各端末は、同一のユーザ名及びパスワードを利用する。代わりに、ＰＯＰ３プロキシ・サーバは、顧客の携帯電話機のＩＰアドレスによって顧客を識別する。
【００３３】
１０２：ＰＯＰ３プロキシ・サーバは、携帯電話機によって利用されるＩＰアドレスを利用して、ＭＳＩＳＤＮ／ＩＰアドレス変換データベースからから顧客のＭＳＩＳＤＮを調べる。
【００３４】
１０３：ステップ２で見出されたＭＳＩＳＤＮは、ステップ３において、携帯電話会社ＬＤＡＰから顧客に関する特定の情報を調べるために、ＰＯＰ３プロキシ・サーバによって利用される。該情報は、電子メールを受信するための電子メールサーバ名、電子メール読み出しのためのユーザ名、電子メール読み出しのためのパスワードである。
【００３５】
１０４：ステップ４において、この特定の情報は、ＰＯＰ３プロキシ・サーバによって利用され、ユーザに代わって、ＰＯＰ３プロトコルを用いて、本来のメールサーバの認証が行われる。携帯電話機から受信したメール読み出し要求を転送することにより、必要なメール・メッセージが本来のメールサーバから読み出される。
【００３６】
１０５：メッセージがＰＯＰ３プロキシ・サーバに転送される。
１０６：ＰＯＰ３プロキシ・サーバは、読み出されたメッセージを携帯電話機に転送する。
【００３７】
メール送信
移動体ユーザが移動端末から電子メールを送信する場合、移動端末は、指名されたＳＭＴＰサーバに問い合わせる。このサーバも、修正された種別のプロキシである。接続が確立すると、サーバは、移動体ユーザのＭＳＩＳＤＮを調べ、ユーザの電子メールアドレス、本来のＳＭＴＰサーバ名、ユーザ名及びパスワードをデータベース又はＬＤＡＰディレクトリから読み出す。この情報に基づいて、ＳＭＴＰプロキシは、メールに含まれる送信者の電子メールアドレスを、移動体ユーザの本来の電子メールアドレスで置換する。そうして修正されたメールは、本来のＳＭＴＰメールサーバに転送される。認証が要求される場合、ＳＭＴＰプロキシ・サーバは、本来の送信者の電子メールアドレスに基づいて、これを保証する。
【００３８】
電子メールを送信するステップの進行の例を、図３に示す。この図には、以下の構成要素が示される。即ち、携帯電話機（１）、セルラーＧＰＲＳネットワーク（２）、ＧＧＳＮ（３）、ＷＡＰゲートウェイ（４）、メール読み出しのためのＰＯＰ３プロキシ（５）、メール送信のためのＳＭＴＰプロキシ（６）、メールサーバ（７）、インターネット（８）、ＭＳＩＳＤＮ／ＩＰアドレス変換データベース（９）、及び携帯電話会社ＬＤＡＰ（１０）である。
【００３９】
電子メールを送信するために、以下のステップがとられる。
２０１：携帯電話機に置かれたメール・ユーザ・エージェントがＳＭＴＰプロキシに接続し、ＳＭＴＰプロキシ・サーバに新しいメールを配信する。ＳＭＴＰプロキシ・サーバは、顧客のＩＰアドレスによって顧客を識別する。
【００４０】
２０２：ＳＭＴＰプロキシ・サーバは、移動端末によって利用されるＩＰアドレスを利用して、ＭＳＩＳＤＮ／ＩＰアドレス変換データベースから顧客のＭＳＩＳＤＮを調べる。
【００４１】
２０３：ステップ２で見出されたＭＳＩＳＤＮは、ステップ３において、携帯電話会社ＬＤＡＰから特定の顧客情報を調べるために、ＳＭＴＰプロキシ・サーバによって利用される。該情報は、電子メール送信のために利用される電子メールサーバ名、電子メール送信のためのユーザ名（必要な場合）、電子メール送信のためのパスワード（必要な場合）である。
【００４２】
２０４：ステップ４は、ＳＭＴＰプロキシ・サーバによって実行される代理処理によって特徴付けられる。この変換は、携帯電話機からのメールに含まれるデフォルトのユーザデータを、携帯電話会社ＬＤＡＰから読み出されたユーザデータ（ユーザ名、送信者の電子メールアドレス）で置換する。
【００４３】
２０５：ステップ５において、ＳＭＴＰプロキシ・サーバは、ユーザに代わって、ＳＭＴＰプロトコルを用いて、特定のユーザ情報を利用して本来のメールサーバに対する認証を行う（ＳＴＭＰ  Ａｕｔｈが利用される場合）。最後に、ＳＭＴＰプロキシ・サーバは、適用された置換を含む、携帯電話機から受信した電子メールを、本来のメールサーバに転送する。
【００４４】
２０６：ＳＭＴＰプロキシ・サーバは、ＳＭＴＰサーバから返信メッセージを受信する。
２０７：この返信メッセージが、携帯電話機に転送される。
【００４５】
利用された略称
ＣＳＤ：回線交換データ
ＧＰＲＳ：国際パケット無線サービス
ＧＧＳＮ：ゲートウェイＧＰＲＳサポート・ノード
ＨＳＣＳＤ：高速回線交換データ
ＩＰ：インターネット・プロトコル
ＩＳＰ：インターネット・サービス・プロバイダ
ＬＤＡＰ：軽量ディレクトリ・アクセス・プロトコル
ＭＳＩＳＤＮ：移動局ＩＳＤＮ番号
ＰＯＰ３：ポスト・オフィス・プロトコル・バージョン３
ＳＭＴＰ：簡易メール転送プロトコル
ＴＣＰ：送信制御プロトコル
ＷＡＰ：無線アプリケーション・プロトコル
【図面の簡単な説明】
【００４６】
【図１】図１は、本発明を含むネットワーク構成の例を示す。
【図２】図２は、本発明の例としての実施の形態に従って、電子メール・メッセージを読み出すためのステップの例を示す。
【図３】図３は、本発明の例としての実施の形態に従って、電子メール・メッセージを送信するためのステップの例を示す。
【図１】
2007500958.tif 000003
【図２】
2007500958.tif 000004
【図３】
2007500958.tif 000005
【国際調査報告】
2007500958.tif 000006
2007500958.tif 000007
2007500958.tif 000008